(57)【要約】      （修正有）【課題】ディスク高速回転時の振動を長期にわたって確実に抑制する。【解決手段】ターンテーブル８付きスピンドルモータ９及びディスクＤの半径方向に移動可能な光ピックアップ１０を搭載したシャーシ本体５Ａと合成樹脂製レバーアーム５Ｂとからなるトラバースシャーシ５がローダーシャーシ２内に上下動可能に配置され、レバーアーム５Ｂが、レバー本体５ａと、レバー本体５ａの両端から延びてローダーシャーシ２に回動可能に枢支された左右一対のアーム部５ｂとを有し、ローダーシャーシ２の前部にスライド可能に配置したカムスライダ１２とレバーアーム５Ｂとがカム機構１３により連動連結され、レバー本体５ａの一端部を切欠いて形成した凹部２９の内面に弾性変位可能な連結アーム３１を介して一体形成した抑え片３０を有しており、抑え片３０がローダーシャーシ２に弾性的に押し付けられている。【選択図】図１
2012099183.tif 000002
【特許請求の範囲】
【請求項１】
ターンテーブル付きスピンドルモータ及びディスクの半径方向に移動可能な光ピックア
ップを搭載したシャーシ本体と合成樹脂製レバーアームとからなるトラバースシャーシが
ローダーシャーシ内に上下動可能に配置され、前記レバーアームが、レバー本体と、該レ
バー本体の両端から延びてローダーシャーシに回動可能に枢支された左右一対のアーム部
とを有し、前記ローダーシャーシの前部にスライド可能に配置したカムスライダと前記レ
バーアームとがカム機構により連動連結され、レバーアームの振動を抑制する制振機構が
設けられており、プレイモードで、スピンドルモータによりターンテーブルを介してディ
スクを高速回転させ、該ディスクに記録されている情報を光ピックアップにより読み取り
、レバーアームの振動を制振機構により抑制するようにしたディスク装置において、前記
制振機構が、前記レバー本体の一端部を切欠いて形成した凹部の内面に弾性変位可能な連
結アームを介して一体形成した抑え片を有しており、該抑え片がローダーシャーシに弾性
的に押し付けられていることを特徴とするディスク装置。
【請求項２】
前記連結アームがＬ字状に形成されて互いに所定間隔をおいて平行するように一対設け
られ、一対の連結アームの基端部が前記凹部の内面に一体形成され、その基端部につなが
る中央部が上方に延ばされ、その中央部につながる先端部が側方に延ばされて前記抑え片
に一体形成され、一対の連結アームの基端部どうしを一体連結する連結杆が設けられ、一
対の連結アームの基端部が中央部及び先端部よりも広幅に形成されていることを特徴とす
る請求項１に記載のディスク装置。
【請求項３】
前記抑え片と凹部の内面との間にばねが介在されていることを特徴とする請求項１また
は２に記載のディスク装置。
【請求項４】
前記トラバースシャーシの下動状態で抑え片に対向してローダーシャーシに凹段部が形
成されていることを特徴とする請求項１〜３のいずれかに記載のディスク装置。
【発明の詳細な説明】
【技術分野】
【０００１】
本発明は、例えばＢｌｕ−ｒａｙ  Ｄｉｓｃ式のレコーダ（またはプレーヤ）などのデ
ィスク装置に関し、特に、ディスク高速回転時の振動を長期にわたって確実に抑制するこ
とができるようにしたものである。
【背景技術】
【０００２】
従来、ディスク装置の一例として図７〜図９に示すものがあり、これは、Ｂｌｕ−ｒａ
ｙ  Ｄｉｓｃ式のレコーダ（またはプレーヤ）であって、ディスクＤ載置用合成樹脂製ト
レイ１が合成樹脂製ローダーシャーシ２内に配置され、該ローダーシャーシ２の両側板２
ａに一体形成した棚枠３上のガイドレール４にトレイ１が前後進ａ，ｂ可能に係合され、
金属製シャーシ本体５Ａと合成樹脂製レバーアーム５Ｂとからなるトラバースシャーシ５
がローダーシャーシ２内に配置され、前記シャーシ本体５Ａの後部がゴムからなる後側弾
性体６を介してローダーシャーシ２に上下動ｃ，ｄ可能に連結されると共に、該シャーシ
本体５Ａの前部がゴムからなる前側弾性体７を介してレバーアーム５Ｂに連結され、前記
シャーシ本体５Ａ上にターンテーブル８付きスピンドルモータ９とディスクＤの半径方向
に移動可能な対物レンズＯＬ付き光ピックアップ１０とが搭載されている。
【０００３】
図７及び図８に示すように、前記レバーアーム５Ｂは、前後進ａ，ｂ方向とは直交する
左右方向ｅ，ｆに沿って延びるレバー本体５ａと、該レバー本体５ａの両端から後進ｂ方
向に延びる左右一対のアーム部５ｂとを有し、該各アーム部５ｂの遊端に一体突設した支
軸５ｃをローダーシャーシ２の各棚枠３に形成した凹状軸受部１１に嵌入させることによ
り、その支軸５ｃを中心にしてレバーアーム５Ｂが回動可能に枢支されている。
【０００４】
図７〜図９に示すように、前記ローダーシャーシ２の前部にカムスライダ１２が左右方
向ｅ，ｆに沿ってスライド可能に配置され、該カムスライダ１２に形成したカム溝１３ａ
と、レバーアーム５Ｂのレバー本体５ａに突設されてカム溝１３ａに嵌入するカムピン１
３ｂとからなるカム機構１３によりカムスライダ１２とレバーアーム５Ｂとが連動連結さ
れ、前記カムピン１３ｂの先端がローダーシャーシ２の前部に形成した縦溝１４に昇降可
能に嵌入されている。図７中、１５はねじ軸機構１５ａを介して光ピックアップ１０を往
復移動させるためのフィードモータである。
【０００５】
図７及び図９に示すように、ローダーシャーシ２の前部にピニオン１６が正逆回転ｇ，
ｈ可能に配置され、該ピニオン１６に噛合可能なカムラック１７が前記カムスライダ１２
に設けられ、そのピニオン１６に噛合可能なトレイラック１８がトレイ１の裏面に前後進
ａ，ｂに沿って一体突設され、前記カムスライダ１２に左右一対のガイドピン１９が一体
突設されている。
【０００６】
図８中、２１はローダーシャーシ２の両側板２ａ間に架設した横桁２２の中央部に一定
範囲内昇降可能に配置したクランパであって、ターンテーブル８とでディスクＤをクラン
プする。図９中、２３はローダーシャーシ２の両側板２ａに一体突設したトレイ押さえ片
である。
【０００７】
プレイモードでは、図７及び図８に実線で示すように、トラバースシャーシ５を上動ｃ
させて水平姿勢にすることにより、トレイ１上のディスクＤをターンテーブル８で持ち上
げ、該ディスクＤをターンテーブル８とクランパ２１とでクランプし、スピンドルモータ
９によりターンテーブル８を介してディスクＤを高速回転させると共に、フィードモータ
１５によりねじ軸機構１５ａを介して光ピックアップ１０を往復移動させ、対物レンズＯ
ＬからディスクＤにレーザ光を投射し、その反射光に基づいてディスクＤに記録されてい
る情報を読み取る。
【０００８】
トレイオープン時には、フィードモータ１５によりねじ軸機構１５ａを介して光ピック
アップ１０をディスクＤの内周側に移動させ、ピニオン１６を正転ｇさせることにより、
該ピニオン１６に噛合するカムラック１７を介してカムスライダ１２を矢印ｆ方向にスラ
イドさせ、これにより、カム機構１３を介してトラバースシャーシ５を下動ｄさせ（図８
仮想線参照）、ターンテーブル８上のディスクＤをトレイ１上に移し替える。
【０００９】
その後、各ガイドピン１９をトレイ１の傾斜面（図示せず）に係合させることにより、
該トレイ１を前進ａさせてトレイラック１８をピニオン１６に噛合させ、該ピニオン１６
の正転ｇにより、トレイラック１８を介してトレイ１を前進ａさせる（図７、図８仮想線
状態参照）。
【００１０】
図７及び図８の実線で示すプレイモードで、スピンドルモータ９によりターンテーブル
８を介してディスクＤを高速回転させたときに発生する振動がトラバースシャーシ５を介
して光ピックアップ１０に伝達されることにより、その光ピックアップ１０で読取誤差が
生じないようにするため、その振動を抑制する第１手段として弾性体６，７が用いられ、
その第２手段として制振機構２５が用いられている。
【００１１】
前記制振機構２５は、図７及び図９に示すように、トラバースシャーシ５の一方のアー
ム部５ｂの外側面中央に一体突設されて該アーム部５ｂの長手方向とは直交する方向に沿
って延びる突起片２６と、その突起片２６に対向して棚枠３に形成したスリット間に切り
残された弾性変位可能なＵ字片２７とからなっている。
【００１２】
上記構成において、Ｕ字片２７の先端部を突起片２６に弾性的に押し付け、その押付力
でカムピン１３ｂを縦溝１４の内側面１４ａに押し付けることにより、そのＵ字片２７と
縦溝１４の内側面１４ａとでトラバースシャーシ５のレバーアーム５Ｂを挟み付ける。
【００１３】
制振機構２５による振動抑制機能は偏重心テストでチェックされる。これは、偏重心に
設計したテスト用ディスクＤを用いて高速回転させ、それにより発生する振動をどの程度
抑制することができるか否かを調べるものである。なお、関連する技術として特許文献１
に記載したものがある。
【先行技術文献】
【特許文献】
【００１４】
【特許文献１】特開２００９−４０１８号公報
【発明の概要】
【発明が解決しようとする課題】
【００１５】
上記従来の構成では、Ｕ字片２７の先端部をレバーアーム５Ｂのアーム部５ｂの外側面
中央に一体突設した突起片２６に弾性的に押し付けることにより、トラバースシャーシ５
の振動を抑制するようになっており、そのＵ字片２７がトラバースシャーシ５の最も振動
しやすいレバー本体５ａから離れているから、偏重心テストにおいて、振動抑制機能を効
果的に発揮させることができなかった。
【００１６】
また、Ｕ字片２７の先端部に突起片２６が常時接触されているから、該Ｕ字片２７に疲
労が蓄積されて弾性が低下するおそれがある。
【００１７】
本発明は、上記従来の欠点に基づいて、ディスク高速回転時の振動を長期にわたって確
実に抑制することができるようにしたディスク装置を提供することを目的としている。
【課題を解決するための手段】
【００１８】
上記目的を達成するため、請求項１に記載の発明は、ターンテーブル付きスピンドルモ
ータ及びディスクの半径方向に移動可能な光ピックアップを搭載したシャーシ本体と合成
樹脂製レバーアームとからなるトラバースシャーシがローダーシャーシ内に上下動可能に
配置され、前記レバーアームが、レバー本体と、該レバー本体の両端から延びてローダー
シャーシに回動可能に枢支された左右一対のアーム部とを有し、前記ローダーシャーシの
前部にスライド可能に配置したカムスライダと前記レバーアームとがカム機構により連動
連結され、レバーアームの振動を抑制する制振機構が設けられており、プレイモードで、
スピンドルモータによりターンテーブルを介してディスクを高速回転させ、該ディスクに
記録されている情報を光ピックアップにより読み取り、レバーアームの振動を制振機構に
より抑制するようにしたディスク装置において、前記制振機構が、前記レバー本体の一端
部を切欠いて形成した凹部の内面に弾性変位可能な連結アームを介して一体形成した抑え
片を有しており、該抑え片がローダーシャーシに弾性的に押し付けられていることを特徴
としている。
【００１９】
請求項２に記載の発明は、請求項１に記載の発明において、前記連結アームがＬ字状に
形成されて互いに所定間隔をおいて平行するように一対設けられ、一対の連結アームの基
端部が前記凹部の内面に一体形成され、その基端部につながる中央部が上方に延ばされ、
その中央部につながる先端部が側方に延ばされて前記抑え片に一体形成され、一対の連結
アームの基端部どうしを一体連結する連結杆が設けられ、一対の連結アームの基端部が中
央部及び先端部よりも広幅に形成されていることを特徴としている。
【００２０】
請求項３に記載の発明は、請求項１または２に記載の発明において、前記抑え片と凹部
の内面との間にばねが介在されていることを特徴としている。
【００２１】
請求項４に記載の発明は、請求項１〜３のいずれかに記載の発明において、前記トラバ
ースシャーシの下動状態で抑え片に対向してローダーシャーシに凹段部が形成されている
ことを特徴としている。
【発明の効果】
【００２２】
請求項１に記載の発明によれば、トラバースシャーシを構成するレバー本体の一端部に
設けた抑え片をローダーシャーシに弾性的に押し付けており、その抑え片がトラバースシ
ャーシの最も振動しやすいレバー本体に設けられているから、偏重心テストにおいて、デ
ィスク高速回転時の振動を確実に抑制することができる。
【００２３】
請求項２に記載の発明によれば、抑え片を支持する一対の連結アームがＬ字状に形成さ
れて、そのばね長が大きく設定されていると共に、連結杆で一対の連結アームの基端部ど
うしを一体連結しているので、それにかかる応力が分散され、例えば倉庫に保管している
状態で室温が高温（例えば６０°Ｃ）になっても、その一対の連結アームが変形されない
ようにして、抑え片を所定位置に保持することができる。
【００２４】
また、一対の連結アームの基端部が広幅に形成されているから、その基端部に応力が集
中的にかかって劣化するのを阻止することができる。
【００２５】
更に、一対の連結アームの中央部が狭幅に形成されているから、該中央部を適度に撓ま
せて抑え片をローダーシャーシに弾性的に押し付けることができる。
【００２６】
請求項３に記載の発明によれば、ばねで抑え片のローダーシャーシに対する押付力を強
化することにより、ディスクの高速回転化に伴う振動増大に対応して所望通りにその振動
を抑制することができる。
【００２７】
請求項４に記載の発明によれば、トラバースシャーシを下動させることにより、抑え片
が凹段部に対向して、該抑え片にかかっていた負荷が解消または軽減されるから、その抑
え片を支える連結アームの弾性を長期にわたって適正に維持することができる。
【図面の簡単な説明】
【００２８】
【図１】本発明の実施の一形態であるディスク装置の平面図である。
【図２】図１のＡ−Ａ矢視図である。
【図３】同レバーアームの斜視図である。
【図４】同要部の拡大斜視図である。
【図５】（ａ）は同要部の拡大一部切欠き正面図、（ｂ）は同要部の拡大水平断面図である。
【図６】本発明の実施の他の形態であるディスク装置の要部の拡大斜視図である。
【図７】従来例を示す平面図である。
【図８】同縦断面図である。
【図９】図７のＢ−Ｂ矢視図である。
【発明を実施するための形態】
【００２９】
図１〜図５は本発明の実施の一形態であるディスク装置を示すものであり、これは通常
回転モデル（例えば１．５〜２．５倍速）のＢｌｕ−ｒａｙ  Ｄｉｓｃ式のプレーヤ（ま
たはレコーダ）であって、トラバースシャーシ５を構成するレバーアーム５Ｂのレバー本
体５ａに制振機構２５が設けられており、該制振機構２５は、レバー本体５ａの一端部を
切欠いて形成した凹部２９内に抑え片３０が弾性アーム３１を介して配置されたものであ
る。上記以外の構成は図７〜図９に示す構成とほぼ同じであるから、同一部分に同一符号
を付してその説明を省略する
【００３０】
図４及び図５に示すように、前記抑え片３０は矩形状であって、該抑え片３０の外側面
３０ａがトラバースシャーシ５よりも側方に突出されて棚枠３の内側面３ａに対向し、そ
の抑え片３０の外側面３０ａに一対の突条３２が一体突設されている。
【００３１】
図４及び図５に示すように、前記弾性アーム３１は、Ｌ字状に形成されて互いに所定間
隔をおいて平行するように一対設けられ、一対の連結アーム３１の基端部３１ａが凹部２
９の前後進ａ，ｂ方向に沿う内面２９ａに一体形成され、その基端部３１ａにつながる中
央部３１ｂが上方に延ばされ、その中央部３１ｂにつながる先端部３１ｃが側方に延ばさ
れて抑え片３０の内側面３０ｂに一体形成され、一対の連結アーム３１の基端部３１ａど
うしを一体連結する連結杆３１ｄが設けられ、一対の連結アーム３１の基端部３１ａが中
央部３１ｂ及び先端部３１ｃよりも広幅の三角形状に形成されている。なお、図４中、３
４は抑え片３０の内側面３０ｂ及び凹部２９の内面２９ａに一体突設したばね用突起部で
ある。
【００３２】
図２及び図５（ａ）に示すように、トラバースシャーシ５の下動ｄ状態（図８仮想線参
照）で、抑え片３０に対向してローダーシャーシ２の棚枠３の内側面３ａに凹段部３３が
形成されている。
【００３３】
プレイモードでは、図１及び図２に実線で示すように、トラバースシャーシ５を上動ｃ
させて水平姿勢にすることにより、図５（ａ）に実線で示すように、弾性アーム３１の中
央部３１ｂを撓ませて抑え片３０の突条３２を棚枠３の内側面３ａに弾性的に押し付けて
おり、その押付力でカムピン１３ｂを縦溝１４の内側面１４ａに押し付け、その抑え片３
０と縦溝１４の内側面１４ａとでトラバースシャーシ５のレバーアーム５Ｂを挟み付けて
いる。
【００３４】
この状態で、スピンドルモータ９によりターンテーブル８を介してディスクＤを高速回
転させると、その高速回転により発生する振動が、第１手段である弾性体６，７で抑制さ
れると共に、第２手段である抑え片３０の弾性変位により抑制される。
【００３５】
上記構成によれば、抑え片３０がトラバースシャーシ５の最も振動しやすいレバー本体
５ａに設けられているから、偏重心テストにおいて、ディスクＤの高速回転時の振動を確
実に抑制することができる。
【００３６】
抑え片３０を支持する一対の連結アーム３１がＬ字状に形成されて、そのばね長Ｈ〔図
５（ａ）参照）が大きく設定されていると共に、連結杆３１ｄで一対の連結アーム３１の
基端部３１ａどうしを一体連結しているので、それにかかる応力が分散され、例えば倉庫
に保管している状態で室温が高温（例えば６０°Ｃ）になっても、その一対の連結アーム
３１が変形されないようにして、抑え片３０を所定位置に保持することができる。
【００３７】
また、一対の連結アーム３１の基端部３１ａが広幅に形成されているから、その基端部
３１ａに応力が集中的にかかって劣化するのを阻止することができる。
【００３８】
更に、一対の連結アーム３１の中央部３１ｂが狭幅に形成されているから、該中央部３
１ｂを適度に撓ませて抑え片３０を棚枠３の内側面３ａに弾性的に押し付けることができ
る。
【００３９】
トレイオープン時に、トラバースシャーシ５を下動ｄさせることにより、図５（ａ）に
仮想線で示すように、抑え片３０が凹段部３３に対向して、該凹段部３３の内側面３３ａ
から抑え片３０が離間されたり押し付けが小さくなって、その抑え片３０にかかっていた
負荷が解消または軽減されるから、弾性アーム３１の弾性を長期にわたって適正に維持す
ることができる。
【００４０】
図６は本発明の実施の他の形態であるディスク装置の要部を示すものであり、これは高
速回転モデル（例えば４倍速）のＢｌｕ−ｒａｙ  Ｄｉｓｃ式のレコーダ（またはプレー
ヤ）であって、抑え片と凹部の内面との間に介在されてばね用突起部３４に係合するばね
３６が介在されており、そのばね３６により抑え片３０を棚枠３の内側面３ａに強く押し
付ける。上記以外の構成は図１〜図５に示す実施の一形態とほぼ同じであるから、同一部
分に同一符号を付してその説明を省略する
【００４１】
上記構成によれば、ばね３６で抑え片３０のローダーシャーシ２に対する押付力を強化
することにより、ディスクＤの高速回転化に伴う振動増大に対応して所望通りにその振動
を抑制することができる。
【符号の説明】
【００４２】
２        ローダーシャーシ
５        トラバースシャーシ
５Ａ      トラバースシャーシのシャーシ本体
５Ｂ      トラバースシャーシのレバーアーム
５ａ      レバーアームのレバー本体
５ｂ      レバーアームのアーム部
８        ターンテーブル
９        スピンドルモータ
１０      光ピックアップ
２５      制振機構
２９      凹部
２９ａ    凹部の内面
３０      抑え片
３１      連結アーム
３１ａ    連結アームの基端部
３１ｂ    連結アームの中央部
３１ｃ    連結アームの先端部
３１ｄ    連結アームの連結杆
３３      凹段部
３６      ばね
【図１】
2012099183.tif 000003
【図２】
2012099183.tif 000004
【図３】
2012099183.tif 000005
【図４】
2012099183.tif 000006
【図５】
2012099183.tif 000007
【図６】
2012099183.tif 000008
【図７】
2012099183.tif 000009
【図８】
2012099183.tif 000010
【図９】
2012099183.tif 000011